(57)【特許請求の範囲】
【請求項１】
非通話中の移動局が、複数基地局のサービスエリアの集合体であるゾーン間を移動したとき、基地局経由で位置登録処理を基地局制御装置へ行う移動通信システムにおいて、
位置特定の対象となる地理的位置における基地局の配下に在圏しているひとつ又は複数の移動局を特定するための位置特定制御装置を備えた前記移動通信システムにおける移動通信方法であって、
前記位置特定制御装置は、移動局の位置特定の指示に従い、前記基地局制御装置に対して、位置特定の対象となる基地局の対象基地局識別子及び位置特定の対象となるゾーンの位置特定用ゾーン識別子を含む位置情報通知要求を送信し、
前記位置特定制御装置は、対象基地局識別子の基地局に対して位置特定用ゾーン識別子を含むゾーン識別子変更要求を送信し、
前記基地局制御装置は、位置情報通知要求を受信し、通知された対象基地局識別子及び位置特定用ゾーン識別子を記憶部に格納し、
前記基地局は、ゾーン識別子変更要求を受信し、既にブロードキャストしている通常用ゾーン識別子を、通知された位置特定用ゾーン識別子に変更し、位置特定用ゾーン識別子を基地局配下の移動局に対してブロードキャストし、
各前記移動局は、非通話中に、前記基地局からブロードキャストされている位置特定用ゾーン識別子を受信し、受信した位置特定用ゾーン識別子が、以前受信した通常用ゾーン識別子と異なる場合、前記移動局は位置登録処理を開始して、移動局識別子及び位置特定用ゾーン識別子を含む位置登録要求を基地局へ送信し、
前記基地局は、前記移動局からの位置登録要求を前記基地局制御装置へ通知し、
前記基地局制御装置は、前記記憶部を参照し、位置登録要求を通知した前記基地局の基地局識別子が対象基地局識別子とマッチするかの確認と、前記移動局から通知されたゾーン識別子が位置特定用ゾーン識別子とマッチするかの確認を行い、両識別子がそれぞれマッチした場合には、移動局識別子及び対象基地局識別子及びゾーン識別子を含む位置情報を前記位置特定制御装置へ通知し、
前記位置特定制御装置は、受信した位置情報に基づき、前記移動局が、位置特定の対象となる地理的位置又は前記基地局配下に在圏していることを示す情報を表示部に表示又は出力部に出力する
ことを特徴とする移動通信方法。
【請求項２】
前記位置特定制御装置は、位置特定用ゾーン識別子及び位置特定の対象となる基地局識別子による、移動局の位置特定の指示を受けると、該位置特定用ゾーン識別子及び該基地局識別子を用いて位置情報通信要求を作成することを特徴とする請求項１に記載の移動通信方法。
【請求項３】
前記位置特定制御装置は、位置特定用ゾーン識別子及び地理的位置による、移動局の位置特定の指示を受けると、地理的位置に対応する基地局識別子を予め記憶した位置変換情報を参照して、指示された地理的位置をサービスエリアに含む基地局の基地局識別子を選定し、該位置特定用ゾーン識別子及び該基地局識別子を用いて位置情報通信要求を作成することを特徴とする請求項１に記載の移動通信方法。
【請求項４】
前記基地局は、一定時間位置特定用ゾーン識別子をブロードキャストした後、もしくは、前記位置特定制御装置から停止の指示が来た場合、位置特定用ゾーン識別子の送信を停止し、通常用ゾーン識別子のブロードキャストを再開することを特徴とする請求項１乃至３のいずれかに記載の移動通信方法。
【請求項５】
前記位置特定制御装置は、移動局の位置特定を停止するための移動局位置特定停止の指示に従い、ゾーン識別子変更要求を通知した前記基地局へゾーン識別子変更停止要求を通知し、
前記基地局は、ゾーン識別子変更停止要求を受信し、位置特定用ゾーン識別子のブロードキャストを停止し、通常用ゾーン識別子のブロードキャストを再開し、
前記位置特定制御装置は、移動局位置特定停止の指示に従い、位置情報通知要求を指示した前記基地局制御装置へ位置情報通知停止要求を通知し、
前記基地局制御装置は、位置情報通知停止要求を受信し、前記位置情報の前記位置特定制御装置への通知を停止すること
を特徴とする請求項１乃至４のいずれかに記載の移動通信方法。
【請求項６】
前記位置特定制御装置は、セービング機能実施の指示に従い、各基地局の基地局識別子と、各基地局がセービング用ゾーン識別子をブロードキャストする、開始時間、期間、周期のうちひとつ又は複数を含むセービング時間情報とによりスケジューリングを実施し、
前記位置特定制御装置は、セービング用ゾーン識別子及び基地局識別子を含むセービングゾーン識別子設定要求を前記基地局制御装置へ通知し、
前記基地局制御装置は、受信したセービング用ゾーン識別子及び基地局識別子を前記記憶部へ格納し、
前記位置特定制御装置は、各基地局にスケジューリングしたセービング用ゾーン識別子及びセービング時間情報を含むセービング設定要求を、スケジューリングされた前記各基地局に通知し、
前記各基地局は、セービング設定要求を受信し、セービング時間情報に従い、セービング用ゾーン識別子のブロードキャストを開始し、
前記移動局は、受信したセービング用ゾーン識別子が以前に受信していた通常用ゾーン識別子と異なる場合、位置登録処理を開始し、移動局識別子及びセービング用ゾーン識別子を含む位置登録要求を送信し、
前記基地局は、前記移動局からの位置登録要求を前記基地局制御装置へ通知し、
前記基地局制御装置は、前記記憶部を参照し、前記移動局からの位置登録要求に含まれるゾーン識別子とセービング用ゾーン識別子がマッチするかを確認し、マッチした場合には位置登録要求を無視する、または、位置登録要求を通知してきた基地局が通常ブロードキャストしているゾーン識別子を用いて位置登録処理を実施すること
を特徴とする請求項１乃至５のいずれかに記載の移動通信方法。
【請求項７】
前記各基地局は、セービング時間情報に従い、前記位置特定制御装置から指示されたセービング用ゾーン識別子をブロードキャストする期間が満了した場合、セービング用ゾーン識別子ブロードキャストを停止し、通常用ゾーン識別子をブロードキャストすることを特徴とする請求項６に記載の移動通信方法。
【請求項８】
非通話中の移動局が、複数基地局のサービスエリアの集合体であるゾーン間を移動したとき、基地局経由で位置登録処理を基地局制御装置へ行う移動通信システムにおいて、
位置特定の対象となる地理的位置における基地局の配下に在圏しているひとつ又は複数の移動局を特定するための位置特定制御装置を備え、
前記位置特定制御装置は、移動局の位置特定の指示に従い、前記基地局制御装置に対して、位置特定の対象となる基地局の対象基地局識別子及び位置特定の対象となるゾーンの位置特定用ゾーン識別子を含む位置情報通知要求を送信し、
前記位置特定制御装置は、対象基地局識別子の基地局に対して位置特定用ゾーン識別子を含むゾーン識別子変更要求を送信し、
前記基地局制御装置は、位置情報通知要求を受信し、通知された対象基地局識別子及び位置特定用ゾーン識別子を記憶部に格納し、
前記基地局は、ゾーン識別子変更要求を受信し、既にブロードキャストしている通常用ゾーン識別子を、通知された位置特定用ゾーン識別子に変更し、位置特定用ゾーン識別子を基地局配下の移動局に対してブロードキャストし、
各前記移動局は、非通話中に、前記基地局からブロードキャストされている位置特定用ゾーン識別子を受信し、受信した位置特定用ゾーン識別子が、以前受信した通常用ゾーン識別子と異なる場合、前記移動局は位置登録処理を開始して、移動局識別子及び位置特定用ゾーン識別子を含む位置登録要求を基地局へ送信し、
前記基地局は、前記移動局からの位置登録要求を前記基地局制御装置へ通知し、
前記基地局制御装置は、前記記憶部を参照し、位置登録要求を通知した前記基地局の基地局識別子が対象基地局識別子とマッチするかの確認と、前記移動局から通知されたゾーン識別子が位置特定用ゾーン識別子とマッチするかの確認を行い、両識別子がそれぞれマッチした場合には、移動局識別子及び対象基地局識別子及びゾーン識別子を含む位置情報を前記位置特定制御装置へ通知し、
前記位置特定制御装置は、受信した位置情報に基づき、前記移動局が、位置特定の対象となる地理的位置又は前記基地局配下に在圏していることを示す情報を表示部に表示又は出力部に出力する
ことを特徴とする移動通信システム。
【請求項９】
前記基地局制御装置が、
移動局識別子と対応して、各移動局から位置登録処理にて通知されたゾーン識別子、移動局がアクセスした基地局の基地局識別子を記憶する位置登録管理テーブルと、
移動局からの位置登録処理を処理する位置登録処理部と、
更新された位置登録情報と対応する移動局識別子を位置特定制御装置に通知する位置登録情報通知部と
を備え、
前記基地局が、
地理的位置と関連付け可能な基地局識別子と、
自局がサービスを提供する地理的位置と関連付け可能なゾーン識別子を記憶した基地局記憶部と、
基地局識別子とゾーン識別子を移動局にブロードキャストする報知情報送信部と、
移動局からの位置登録処理にて通知される基地局識別子とゾーン識別子を基地局制御装置へ通知する基地局通信部と、
位置特定制御装置からの指示によってブロードキャストするゾーン情報を一時的に変更する報知情報制御部と
を備え、
前記位置特定制御装置が、
位置登録情報を格納する位置登録情報格納領域と、
地理的地域から対応する基地局を選定するための変換情報を格納する位置変換情報格納領域と、
位置変換情報に基づき指定した地理的地域をサービスエリアとする１つ、または複数の基地局を選定し、選定された１つ、また複数の基地局に対してブロードキャストするゾーン情報の変更を指示するゾーン情報変更指示部と、
基地局制御装置から通知された移動局識別子、ゾーン識別子、基地局識別子を含む位置情報を受信し、位置情報格納領域に格納する位置情報受信部と
を備えた
ことを特徴とする請求項８に記載の移動通信システム。
【請求項１０】
前記移動局が、
自局の移動局識別子と、自局が在圏しているゾーン識別子、基地局識別子を記憶する移動局記憶部と、
ゾーンベースの位置登録処理にて移動局識別子と自局が在圏しているゾーン識別子、基地局識別子を基地局制御装置に通知する位置登録処理部と、
新規に受信したゾーン識別子と記憶部に記憶されているゾーン識別子とを比較して異なっている場合に位置登録処理の実施を行う位置登録判断処理部と、
基地局と通信するための移動局通信部と
を備えたことを特徴とする請求項８又は９に記載の移動通信システム。
【発明の詳細な説明】
【技術分野】
【０００１】
本発明は、移動通信方法及びシステムに係り、特に、基地局が移動局に対して移動局が在圏するゾーン情報を通知する移動通信システムにおける移動管理機能（位置登録機能）を用いた基地局主導による移動局位置特定のための移動通信方法及びシステムに関する。
【背景技術】
【０００２】
従来の移動通信システムには、非特許文献１、または非特許文献２に示されるように移動局の呼び出し（ページング）を実施する際に利用するための移動管理機能がある。移動通信システムはサービスを提供しているゾーンを識別可能とする識別子（ゾーン識別子）を基地局毎に付与し、各基地局が移動局に対して移動局が在圏しているゾーン情報としてブロードキャストしている。基地局制御装置は移動局がアクセスしていた基地局のゾーン情報、または移動局から通知されたゾーン情報に基づいて移動局が在圏しているゾーン情報を管理する。また移動局は異なるゾーンの基地局配下に移動した際には、当該基地局がブロードキャストしているゾーン情報（ソーン識別子を含む）を受信し、基地局制御装置に移動後に在圏しているゾーン情報を通知する。これにより基地局制御装置は各移動局が在圏しているゾーン情報を管理できる。ゾーン情報は基地局が設置されている地理的位置（緯度経度情報、住所、郵便番号等）と関連付けが可能であるため地理的位置情報から移動局の位置特定が可能となる。
従来の移動通信システムにおいては位置登録処理の頻度を低減するためゾーンは複数基地局がサービスするエリアから構成されるのが一般的である。このため移動管理機能を単純に移動局の位置特定に適用した場合、位置特定の精度は比較的低い。
上述の方法ではゾーン情報の割り当ての最小単位が基地局相当となるが、より高い精度の移動局の位置検出方法として、たとえば特許文献１の移動局、基地局が受信した無線信号の測定結果（伝搬時間、受信品質など）に基づいた位置測定、特許文献２の移動局で測定したＧＰＳ（Global Positing System）情報を用いた位置測定が提案されているが、非通話中の移動局に対しては有効ではない。
【先行技術文献】
【特許文献】
【０００３】
【特許文献１】特開平７−１８１２４２号公報
【特許文献２】特開平５−２３２２１０号公報
【特許文献３】特開平８−３３０２８号公報
【非特許文献】
【０００４】
【非特許文献１】３ＧＰＰ２  Ｃ．Ｓ００２４  ｃｄｍａ２０００ Ｈｉｇｈ  Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ
【非特許文献２】３ＧＰＰ  ＴＳ  ２３．４０１  ３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；  Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）  ａｃｃｅｓｓ
【発明の概要】
【発明が解決しようとする課題】
【０００５】
従来技術（たとえば非特許文献１、非特許文献２）の移動通信システムでは通話中の移動局の位置特定は移動局がアクセスしている基地局を特定できるため容易である。一方、非通話中の移動局の位置特定に関しては位置登録処理によって移動局から通知され、基地局制御装置に格納されているゾーン情報に基づいて位置を特定することとなる。しかし、一般的に移動通信システムではゾーンは複数基地局から構成されるため位置特定の精度が低いものとなる。一般的に、非通話中の移動局の位置登録処理によるゾーン情報の更新は、異なるゾーンに移動した時に実施され、同一ゾーン内で移動した場合実施されない。また、移動局が同一のゾーンに在圏し続けている時には移動局は周期的に位置登録処理を基地局制御装置に実施し、位置登録情報の更新を実施する。上述のように従来技術の位置登録処理をそのまま非通話中の移動局の位置特定として利用した場合、位置情報がゾーン単位となるため精度が悪いことが課題となる。この課題に対しては、位置登録処理時にゾーンよりも細かい精度の位置情報（在圏している基地局のロケーション情報など）を基地局制御装置に通知することにより位置特定の精度を向上させる方法（たとえば特許文献３）が提案されている。しかし、位置情報の更新が移動局主導の位置登録処理に依存しているため、位置特定の精度が向上したとしても移動局主導によって収集される位置登録情報の更新は、移動局のゾーン間移動のタイミングと周期的な通知に依存したままである。移動局は位置登録処理にて通知した位置から移動している可能性があるため、位置情報が更新されたタイミングと位置情報を参照するタイミングによっては実際の移動局の位置と位置情報が異なることがあり次の位置登録が発生するまでは位置情報の精度は低いままである。また、各移動局の位置情報更新タイミングは同期していないため、とりわけ非通話中の移動局のゾーン情報に対応する地理的エリア内の特定エリア（特定基地局のサービスエリア、被災エリアなど）を基準とした特定地域配下に在圏する移動局の探索を実施する場合には正確性に欠けるという課題がある。
従来技術として非通話中の特定移動局を指定して基地局制御装置より着呼処理を実施し特定移動局がアクセスした基地局にて位置を特定する方法があるが、事前に探索すべき移動局を指定する必要があるため地理的位置を基準として在圏する移動局を特定する場合には有効な方法ではない。
本発明の目的は、非通話中の移動局の位置特定において地理的位置（ゾーン内の特定エリア、緯度経度情報、住所等）又は基地局を基準として在圏する移動局の特定を行う際に、移動局が備える移動管理（位置登録処理）を利用してリアルタイムに特定位置配下にいる移動局の特定を実施する技術を提供することである。
【課題を解決するための手段】
【０００６】
上記課題を解決する本発明の移動通信システムは、次のような構成を備えることができる。
・基地局制御装置が、移動局識別子と対応して、各移動局から位置登録処理にて通知されたゾーン識別子、移動局がアクセスした基地局の基地局識別子を記憶する位置登録管理テーブルと、移動局からの位置登録処理を処理する位置登録処理部と、更新された位置登録情報と対応する移動局識別子を位置特定制御装置に通知する位置登録情報通知部を備える。
・移動局が、自局の移動局識別子と、自局が在圏しているゾーン識別子、基地局識別子を記憶する記憶部と、ゾーンベースの位置登録処理にて移動局識別子と自局が在圏しているゾーン識別子、基地局識別子を基地局制御装置に通知する位置登録処理部と、新規に受信したゾーン識別子と記憶部に記憶されているゾーン識別子とを比較して異なっている場合に位置登録処理の実施を行う位置登録判断処理部と、基地局と通信するための通信部を備える。
・基地局が、地理的位置と関連付け可能な基地局識別子と、自局がサービスを提供する地理的位置と関連付け可能なゾーン識別子を記憶した記憶部と、基地局識別子とゾーン識別子を移動局にブロードキャストする報知情報送信部と、移動局からの位置登録処理にて通知される基地局識別子とゾーン識別子を基地局制御装置へ通知する通信部と、位置特定制御装置からの指示によってブロードキャストするゾーン情報を一時的に変更する報知情報制御部を備える。
・位置特定制御装置が、位置登録情報を格納する位置登録情報格納領域と、地理的地域から対応する基地局を選定するための変換情報を格納する位置変換情報格納領域と、位置変換情報に基づき指定した地理的地域をサービスエリアとする１つ、または複数の基地局を選定し、選定された１つ、また複数の基地局に対してブロードキャストするゾーン情報の変更を指示するゾーン情報変更指示部と、基地局制御装置から通知された移動局識別子、ゾーン識別子、基地局識別子を含む位置情報を受信し、位置情報格納領域に格納する位置情報受信部を備える。
【０００７】
そして、上記移動通信システムにおいて、次のような処理を実行する。
・位置特定制御装置が、探索指定された地域に対応する各基地局に対して既にブロードキャストしているゾーン情報と異なるゾーン情報を一時的にブロードキャストすることを指示し、ゾーン情報の変更指示を受けた基地局は指示されたゾーン情報を移動局に一時的にブロードキャストする。
・該当する基地局配下に在圏するすべての移動局は実際には移動していなくても異なるゾーン情報を受信することにより、異なるゾーンへ移動したと認識することになり基地局制御装置に対して位置登録処理を実施する。
・この動作により、基地局制御装置は探索指定した地域に在圏するすべての移動局からの位置登録情報をほぼ同時に取得することになり、位置特定制御装置は基地局制御装置から通知された移動局識別子、ゾーン識別子、基地局識別子を含む位置情報を基に探索地域に在圏する移動局を正確に特定可能とする。
また、基地局は、あらかじめ用途に応じたゾーン識別子を設定及び送信可能で、ゾーン識別子変更後移動局から自局へのアクセスの有無を観測可能であり、及び、基地局制御装置は、移動局から通知されたゾーン識別子をあらかじめ用途に応じて設定されたゾーン識別子と比較し、通知されたゾーン識別子に応じた処理を実施可能とすることができる。
【０００８】
本発明の第１の解決手段によれば、
非通話中の移動局が、複数基地局のサービスエリアの集合体であるゾーン間を移動したとき、基地局経由で位置登録処理を基地局制御装置へ行う移動通信システムにおいて、
位置特定の対象となる地理的位置における基地局の配下に在圏しているひとつ又は複数の移動局を特定するための位置特定制御装置を備えた前記移動通信システムにおける移動通信方法であって、
前記位置特定制御装置は、移動局の位置特定の指示に従い、前記基地局制御装置に対して、位置特定の対象となる基地局の対象基地局識別子及び位置特定の対象となるゾーンの位置特定用ゾーン識別子を含む位置情報通知要求を送信し、
前記位置特定制御装置は、対象基地局識別子の基地局に対して位置特定用ゾーン識別子を含むゾーン識別子変更要求を送信し、
前記基地局制御装置は、位置情報通知要求を受信し、通知された対象基地局識別子及び位置特定用ゾーン識別子を記憶部に格納し、
前記基地局は、ゾーン識別子変更要求を受信し、既にブロードキャストしている通常用ゾーン識別子を、通知された位置特定用ゾーン識別子に変更し、位置特定用ゾーン識別子を基地局配下の移動局に対してブロードキャストし、
各前記移動局は、非通話中に、前記基地局からブロードキャストされている位置特定用ゾーン識別子を受信し、受信した位置特定用ゾーン識別子が、以前受信した通常用ゾーン識別子と異なる場合、前記移動局は位置登録処理を開始して、移動局識別子及び位置特定用ゾーン識別子を含む位置登録要求を基地局へ送信し、
前記基地局は、前記移動局からの位置登録要求を前記基地局制御装置へ通知し、
前記基地局制御装置は、前記記憶部を参照し、位置登録要求を通知した前記基地局の基地局識別子が対象基地局識別子とマッチするかの確認と、前記移動局から通知されたゾーン識別子が位置特定用ゾーン識別子とマッチするかの確認を行い、両識別子がそれぞれマッチした場合には、移動局識別子及び対象基地局識別子及びゾーン識別子を含む位置情報を前記位置特定制御装置へ通知し、
前記位置特定制御装置は、受信した位置情報に基づき、前記移動局が、位置特定の対象となる地理的位置又は前記基地局配下に在圏していることを示す情報を表示部に表示又は出力部に出力する
ことを特徴とする移動通信方法が提供される。
【０００９】
また、本発明の第２の解決手段によれば、
非通話中の移動局が、複数基地局のサービスエリアの集合体であるゾーン間を移動したとき、基地局経由で位置登録処理を基地局制御装置へ行う移動通信システムにおいて、
位置特定の対象となる地理的位置における基地局の配下に在圏しているひとつ又は複数の移動局を特定するための位置特定制御装置を備え、
前記位置特定制御装置は、移動局の位置特定の指示に従い、前記基地局制御装置に対して、位置特定の対象となる基地局の対象基地局識別子及び位置特定の対象となるゾーンの位置特定用ゾーン識別子を含む位置情報通知要求を送信し、
前記位置特定制御装置は、対象基地局識別子の基地局に対して位置特定用ゾーン識別子を含むゾーン識別子変更要求を送信し、
前記基地局制御装置は、位置情報通知要求を受信し、通知された対象基地局識別子及び位置特定用ゾーン識別子を記憶部に格納し、
前記基地局は、ゾーン識別子変更要求を受信し、既にブロードキャストしている通常用ゾーン識別子を、通知された位置特定用ゾーン識別子に変更し、位置特定用ゾーン識別子を基地局配下の移動局に対してブロードキャストし、
各前記移動局は、非通話中に、前記基地局からブロードキャストされている位置特定用ゾーン識別子を受信し、受信した位置特定用ゾーン識別子が、以前受信した通常用ゾーン識別子と異なる場合、前記移動局は位置登録処理を開始して、移動局識別子及び位置特定用ゾーン識別子を含む位置登録要求を基地局へ送信し、
前記基地局は、前記移動局からの位置登録要求を前記基地局制御装置へ通知し、
前記基地局制御装置は、前記記憶部を参照し、位置登録要求を通知した前記基地局の基地局識別子が対象基地局識別子とマッチするかの確認と、前記移動局から通知されたゾーン識別子が位置特定用ゾーン識別子とマッチするかの確認を行い、両識別子がそれぞれマッチした場合には、移動局識別子及び対象基地局識別子及びゾーン識別子を含む位置情報を前記位置特定制御装置へ通知し、
前記位置特定制御装置は、受信した位置情報に基づき、前記移動局が、位置特定の対象となる地理的位置又は前記基地局配下に在圏していることを示す情報を表示部に表示又は出力部に出力する
ことを特徴とする移動通信システムが提供される。
【発明の効果】
【００１０】
本発明によれば、移動局が実際に異なるゾーンへ移動していなくても任意のタイミングで位置登録情報をリアルタイムに基地局制御装置で取得することができる。また、本発明によれば、位置特定地域配下に在圏するすべての移動局の位置情報をほぼ同時に取得することができるため特定地域に在圏する非通話中の全移動局の特定の正確性が高まる。また、本発明によれば、基地局のサービスエリア配下に在圏する非通話の移動局の有無を判断できるため、フェムトなどの比較的サービスエリアの狭い基地局に適用すれば、在圏移動局が存在しない場合には下り送信を停波するなど能動的にサービスを停止して基地局の電力消費をセービングするための判断情報として使用できる。また、本発明によれば、ゾーンベースの位置登録処理によって位置情報を取得するため、従来技術の移動体通信システムの範囲内で実現可能である。
【図面の簡単な説明】
【００１１】
【図１】本発明が適用される実施の形態の移動体通信システムの網構成構成図の例である。
【図２】本発明に適用される実施の形態の基地局２０の構成の１例を示すブロック図である。
【図３】移動局３０の構成の１例を示すブロック図である。
【図４】本発明に適用される実施の形態の基地局制御装置５０の構成の１例を示すブロック図である。
【図５】本発明に適用される実施の形態の位置特性制御装置６０の構成の１例を示すブロック図である。
【図６】移動体通信システムにおける第１実施の形態を説明するための通信シーケンス例である。
【図７】移動体通信システムにおける第２実施の形態を説明するための基地局２０Ａの構成の１例を示すブロック図である。
【図８】移動体通信システムにおける第２実施の形態を説明するための基地局制御装置５０Ａの構成の１例を示すブロック図である。
【図９】移動体通信システムにおける第２実施の形態を説明するための位置特定制御装置６０Ａの構成の１例を示すブロック図である。
【図１０】移動体通信システムにおける第２実施の形態を説明するための通信シーケンス例である。
【発明を実施するための形態】
【００１２】
以下、本発明を実施するための形態を、図面を参照して詳細に説明する。
１．実施の形態１
図１は、本実施の形態による移動通信システムを示すシステム構成図である。移動通信システムは、移動局３０（３０−１、３０−２、３０−３）と、移動局３０と無線チャネルで接続する基地局２０（２０−１、２０−２、２０−３）と、基地局２０の電波到達範囲で形成されるサービスエリアと、複数基地局２０のサービスエリアの集合体であるゾーン（ゾーンＡ、ゾーンＢ）と、移動通信ネットワーク４０と、基地局制御装置５０と、位置特定制御装置６０を備える。移動局３０は、基地局２０を介して基地局制御装置５０と通信を行う。基地局２０は移動通信ネットワーク４０を経由して基地制御装置５０、位置特定制御装置６０と通信を行う。基地局制御装置５０は、移動通信ネットワーク４０を通じて位置特定制御装置６０と通信を行う。
図１において、移動局３０−１ａ、３０−１ｂ、３０−１ｃは、移動局３０−１が非通話状態で基地局２０−２のサービスエリアから基地局２０−３のサービスエリアに移動し、その後、基地局２０−１のサービスエリアへ移動したことを示している。移動局３０はゾーンＢからゾーンＡへ移動した移動局３０−１ｂのタイミングで、基地局２０−３経由で位置登録処理を基地局制御装置５０へ行うこととなる。よって、移動局３０−１ｃのタイミングでは、基地局２０−１が実際の位置情報であるのに対して、位置登録処理時にアクセスした基地局２０−３を移動局３０−１の位置の情報として見ることになるので、位置情報としては乖離することになる。なお、例えば、移動局３０−２、３０−３は基地局２０−１配下に在圏しているが、基地局２０−１配下では位置登録処理を実施していない前提とする。
非通話中の移動局３０は自局が受信した複数基地局２０からの無線チャネル内で電波強度が一番良好である基地局２０を選定し、該当基地局配下に在圏していると認識し、位置登録処理時には在圏する基地局２０経由で基地局制御装置５０へ位置登録処理を実施する。
なお、各基地局２０からは、基地局識別子及びゾーン識別子を含むメッセージ（ゾーン情報）がブロードキャストされ、一方、移動局３０は、そのメッセージを受信し、ゾーン識別子を取得することができる。なお、複数の基地局２０の境界では、例えば、メッセージの受信感度又は電波強度等の大きさにより、移動局３０は、どのゾーン識別子のゾーンに位置するかを把握することができる。そして、移動局３０がゾーン識別子の変化を検出することで、移動局３０はゾーンＡからゾーンＢへ移動したタイミングを取得することができる。あるいは、移動局３０は、タイマーにより所定周期又は所定時刻で基地局２０からゾーン識別子を取得することで、取得したゾーン識別子と保持しているゾーン識別子とを比較し、ゾーンＡからゾーンＢへ移動したタイミングを把握するようにしてもよい。
図２は、基地局２０の構成例を示すブロック図である。
基地局２０は、アンテナ２００と、アンテナ２００を介して移動局３０と無線信号を送受信するＲＦ部２１と、無線信号の変復調処理を行う信号変換部２２と、信号変換部２２に接続された制御部２３と、制御部２３に接続された記憶装置２５と、基地局制御装置５０と位置特定制御装置６０との接続インタフェースとなるＮＷＩＦ部２４とを備える。
制御部２３は、プログラムを実行するプロセッサを備え、移動局３０との間の無線チャネルの接続、解放を行うための処理機能と、移動局３０と基地局制御局５０との間の通信パケットの転送制御機能を有する。本発明及び本実施の形態に関係する機能部として、通信処理部２１０と報知情報送信処理部２２０と、ゾーン情報変更通知処理部２３０を備える。通信処理部２１０は、移動局３０から信号変換部２２とＲＦ部２１を経由して受信した信号を基地局制御装置５０へ送信、また、逆に基地局制御装置から受信した信号を移動局へ送信する処理を実施する。報知情報送信処理部２２０は、通常時にはゾーン識別子２４０を送信し、位置特定制御装置６０から要求があった場合には、ゾーン識別子２５０の送信を行う。ゾーン情報変更通知処理部２３０は、位置特定制御装置６０からゾーン情報変更及びゾーン情報変更停止の通知を受信し、通知された位置特定用のゾーン識別子をゾーン識別子２５０へ格納する。記憶装置２５には、基地局が通常時に報知情報として移動局にブロードキャストするゾーン識別子２４０と、本発明及び本実施の形態に関係する機能部として位置特定制御装置６０から通知され位置特定時に使用するゾーン識別子２５０と、基地局２０の識別情報となる基地局識別子２６０が記憶されている。
図３は、移動局３０の構成例を示すブロック図である。
移動局３０は、アンテナ３００と、アンテナ３００を介して基地局２０と無線信号を送受信するＲＦ部３１と、無線信号の変復調処理を行う信号変換部３２と、信号変換部３２に接続された制御部３３と、制御部３３に接続された記憶装置３５および周辺装置部３４とを備える。周辺装置部３４は、例えば、データ入力のための各種のボタンと音声入力のためのマイク等を備えた入力部３６１と、入力データおよび受信メッセージ等の情報を表示するためのＬＣＤやＬＥＤ等を有する表示部３６２と、音声出力のためのスピーカ３６３とからなる。制御部３３は、プログラムを実行するプロセッサを備え、本発明及び本実施の形態が関係する機能部分として、通信処理部３１０と、報知情報比較処理部３２０を備え、基地局２０との間の無線チャネルの接続、解放処理を行う。通信処理部３１０は、信号変換部３２とＲＦ部３１を介して、基地局制御装置５０と無線プロトコル処理（たとえば位置登録処理など）のための制御信号を交信する。報知情報比較処理部３２０は、基地局２０から受信した新規のゾーン識別子と記憶装置３５に格納されている過去受信したゾーン識別子を比較し、ゾーン識別子が異なっている場合、通信処理部３１０に対して位置登録処理の実施を指示する。記憶装置３５には、基地局２０から報知情報として受信したゾーン識別子と基地局２０の識別情報となる基地局識別子を含む位置登録情報３７０と、移動局を識別するための移動局識別子３７１が記憶されている。
図４は、基地局制御装置５０の構成例を示すブロック図である。
基地局制御装置５０は、制御部５１と、各基地局２０と通信を行うためのＮＷＩＦ部５２と、記憶装置５３とを備える。制御部５１は、プログラムを実行するプロセッサを備え、移動局２０、基地局３０との間のプロトコルの終端を行う通信処理部５１０と、本発明及び本実施の形態が関連する機能部分として、移動局３０から通知された位置登録要求の処理を実施する位置登録処理部５２０と、位置特定制御装置６０からの位置登録情報通知及び位置登録情報通知停止の要求を受信し、通知対象となるゾーン識別子を位置特定対象ゾーン識別子格納領域５７０へ格納、通知対象となる基地局識別子を位置特定対象ゾーン識別子格納領域５６０へ格納する位置情報通知要求処理部５３０と、移動局３０から通知されたゾーン識別子と移動局識別子と基地局識別子を位置特定制御装置６０へ通知する位置情報通知処理部５４０を備える。記憶装置５３には、移動局３０の移動局識別子と、移動局３０が位置登録要求で通知してきたゾーン識別子と、移動局３０からの信号を受信した基地局２０の基地局識別子とを含む呼情報５５０と、位置特定制御装置６０から受信した位置情報通知対象となるゾーン識別子を格納する位置特定対象ゾーン識別子格納領域５７０と、位置情報通知対象となる基地局識別子を格納する位置特定対象ゾーン識別子格納領域５６０が格納されている。
図５は、位置特定制御装置６０の構成例を示すブロック図である。
位置特定制御装置６０は、制御部６１と、基地局２０および基地局制御装置５０と通信を行うためのＮＷＩＦ部６２と、記憶装置６３を備える。制御部６１は、プログラムを実行するプロセッサを備え、基地局制御装置５０からの位置情報を受信する位置情報受信部６１０と、ブロードキャストするゾーン識別子の変更を基地局２０へ指示するゾーン情報変更通知部６２０と、位置特定制御装置６０への通知対象となるゾーン識別子と、基地局識別子とを基地局制御装置５０へ通知する位置登録通知要求部６３０を備える。記憶装置６３には、基地局制御装置５０から通知された移動局３０が在圏しているゾーン識別子と、移動局の移動局識別子と、基地局識別子とを含む位置情報６４０と、地理的位置から対応する基地局識別子を導出、基地局識別子から地理的位置を導出するため変換情報を含む位置変換情報６５０が格納されている。ここで地理的位置を表す情報としては、例えば、緯度経度情報、住所、郵便番号、電話番号等が挙げられる。
本発明及び本実施の形態は、位置特定制御装置６０が、位置特定の対象となる基地局２０、又は、位置特定の対象となる地理的位置に設置された基地局２０が、配下の移動局に対してブロードキャストしているゾーン識別子を一時的に変更し、基地局２０配下に在圏し、非通話状態の移動局３０に位置登録処理を誘発させて、移動局３０から基地局制御装置５０へ登録された位置情報を収集し、位置特定の対象となる基地局のエリア、又は、位置特定の対象となる地理的位置に在圏している移動局３０をリアルタイムに特定することに特徴のひとつがある。
【００１３】
図６は、移動体通信システムにおける第１実施の形態を説明するための通信シーケンス例を示す。
次に、図１で基地局２０−１配下に在圏している非通話状態の移動局３０−１、３０−２、３０−３を特定する本発明の実施の形態を図６にて説明する。
位置特定制御装置６０は、位置特定に使用するゾーン識別子（以下一例として、ゾーン識別子Ｃ）と地理的位置（７０）もしくは基地局識別子（基地局２０−１）による移動局位置特定の指示を監視者から受けると、位置情報通知要求部６３０は、位置変換情報６５０を参照して地理的位置（７０）をサービスエリアに含んでいる基地局識別子（基地局２０−１）を選定する。
なお、例えば、監視者は、位置特定制御装置６０が備える保守管理装置により、表示されている管理情報を見て、位置特定対象のゾーン識別子と地理的位置（７０）を入力する（又はゾーン識別子と基地局識別子を入力する）ことができる。また、位置変換情報６５０には、地理的位置（７０）に対応する基地局識別子が記憶され、位置登録通知要求部６３０は、入力された地理的位置（７０）に基づき基地局識別子を求めることができる。また、ゾーン識別子Ｃとしては、例えば、使用されていない識別子、特別の予め定められた識別子等適宜のものを用いることができる。
つぎに、位置登録通知要求部６３０は、基地局制御装置５０に対して、位置登録発生時に位置特定制御装置６０へ位置情報（移動局識別子、基地局識別子、ゾーン識別子）を通知する対象となる基地局の基地局識別子（基地局２０−１）と、位置登録発生時に位置特定制御装置６０へ位置情報を通知する対象となるゾーンのゾーン識別子（ゾーン識別子Ｃ）とを含む位置情報通知要求を送信する（ＳＱ１）。また、ゾーン情報変更通知部６２０も、位置変換情報６５０を参照して地理的位置（７０）をサービスエリアに含んでいる基地局識別子（基地局２０−１）を選定し、該当する基地局２０（基地局２０−１）に対してゾーン識別子Ｃを含むゾーン識別子変更要求（ゾーン識別子Ｃへの変更）を送信する（ＳＱ２）。また、保守管理装置からの移動局位置特定の指示が、ゾーン識別子と基地局識別子の場合、位置登録通知要求部６３０及びゾーン情報変更通知部６２０は、位置変換情報６５０を参照することを省略して、これらの識別子を直接用いて、それぞれ位置情報通知要求（ＳＱ１）及びゾーン識別子変更要求（ＳＱ２）を送信することができる。
基地局制御装置５０は、位置特定制御装置６０から位置情報通知要求を通信処理部５１０及び位置情報通知要求処理部５３０で受信し、位置情報通知要求処理部５３０は、通知された基地局識別子（基地局２０−１）情報を位置情報通知対象の基地局として位置特定対象基地局識別子格納領域５６０に、通知されたゾーン識別子（ゾーン識別子Ｃ）を位置特定対象ゾーン識別子格納領域に格納する。（ＳＱ３）。
基地局２０−１は、ゾーン情報変更通知処理部２３０が、位置特定制御装置６０からゾーン識別子変更要求を受信し、受信したゾーン識別子（ゾーン識別子Ｃ）をゾーン識別子格納領域２５０へ格納する。報知情報送信処理部２２０は、基地局が配下の移動局に対して既にブロードキャストしているゾーン識別子２４０（ゾーン識別子Ａ）を、通知されたゾーン識別子（ゾーン識別子Ｃ）に変更し（ＳＱ４）、ブロードキャストを実施する（ＳＱ５）。
なお、このとき報知情報送信処理部２２０は、一定時間位置特定用ゾーン識別子（ゾーン識別子Ｃ）をブロードキャストした後、もしくは、位置特定制御装置６０から指示が来た場合、位置特定用ゾーン識別子（ゾーン識別子Ｃ）の送信を停止し、ゾーン識別子２４０（ゾーン識別子Ａ）のブロードキャストを再開するようにしてもよい（この場合、後述のステップＳＱ１０〜ＳＱ１４は省略することができる）。
移動局３０は、基地局２０−１からブロードキャストされているゾーン識別子（ゾーン識別子Ｃ）を受信し（ＳＱ６）、受信したゾーン識別子（ゾーン識別子Ｃ）と位置登録情報格納領域３７０に含まれている前回に受信していたゾーン識別子（ゾーン識別子Ａ）の比較を行う。ゾーン識別子が変化していた場合、移動局３０は基地局制御装置５０に対して位置登録処理を開始する（ＳＱ７）。移動局３０は、基地局３０に位置登録要求を送信し、基地局３０は、移動局３０からの位置登録要求を基地局制御装置５０へ通知する（ＳＱ８）。ここで、位置登録要求は、移動局識別子とゾーン識別子を含む、又は、移動局識別子とゾーン識別子と基地局識別子を含むようにしてもよい。
基地局制御装置５０は、移動局３０からの位置登録要求を位置登録処理部５２０で処理し、位置登録要求された情報がＳＱ１で要求された条件にマッチするかを確認（例えば、基地局２０（２０−１）から受信したかの確認と、移動局３０から通知されたゾーン識別子が位置登録要求がＳＱ１で要求されたゾーン識別子（ゾーン識別子Ｃ）であるかの確認）し（ＳＱ９）、マッチした場合には、移動局識別子と基地局識別子とゾーン識別子とを含む位置情報を位置特定制御装置６０へ通知する（ＳＱ１０）。位置情報を受信した位置情報受信部６１０は位置情報を位置情報格納領域６４０へ格納する。位置情報格納領域６４０を参照して位置特定制御装置６０は、保守管理装置の表示部及び／又は出力部に表示及び／又は出力することで、移動局３０が地理的位置（７０）もしくは基地局２０−１配下に在圏している情報を監視者に提供することが可能となる。
その後、位置特定制御装置６０は、移動局位置特定停止の指示を監視者により保守管理装置から受けると、ステップＳＱ２で移動局位置特定の指示を出した基地局２０へゾーン識別子変更停止要求を通知し（ＳＱ１１）、ゾーン識別子変更停止要求を受信した基地局２０はゾーン識別子（位置特定処理時）２５０（ゾーン識別子Ｃ）のブロードキャストを停止し、ゾーン識別子（通常時）２４０（ゾーン識別子Ａ）のブロードキャストを再開する（ＳＱ１３）。位置特定制御装置６０は、移動局位置特定停止の指示を監視者から受けると、ステップＳＱ１で位置情報通知要求の指示を出した基地局制御装置５０へ位置情報通知停止要求を通知し（ＳＱ１２）、位置情報通知停止要求を受信した基地局制御装置５０は、位置情報の位置特定制御装置６０への通知を停止する（ＳＱ１４）。
【００１４】
２．実施の形態２
本実施の形態では、送信電力停波などの電力消費低減（セービング）機能を有した基地局に本発明及び本実施の形態を適用した場合の例を説明する。
図７は、実施の形態２における基地局２０Ａを示すブロック図である。図８は、実施の形態２における基地局制御装置５０Ａを示すブロック図である。本実施の形態では図１のシステム構成図において基地局制御装置５０を基地局制御装置５０Ａに、基地局２０を基地局２０Ａに置き換えた構成を前提とする。
図７は、実施の形態１で説明した基地局２０の機能ブロックに、用途に応じてゾーン識別子を事前設定可能な領域を追加可能とする。本実施の形態では、セービング機能処理部２８０とセービング情報格納領域２７０を追加している。セービング情報格納領域２７０には、位置特定制御装置６０から通知されたセービング機能で使用するセービング用ゾーン識別子とセービング用時間情報（例えば、セービング用ゾーン識別子をブロードキャストする開始時間、セービング用ゾーン識別子をブロードキャストする期間、セービング用ゾーン識別子をブロードキャストする開始時間間隔等）が格納される。セービング機能処理部２８０は、セービング情報格納領域２７０に格納されている情報を用いて、報知情報送信処理部２２０に対してセービング用ゾーン識別子のブロードキャスト開始、停止の指示し、セービング用ゾーン識別子のブロードキャスト開始指示後は通信処理部２１０に対して移動局３０からの無線リンク確立の有無を監視する。セービング用ゾーン識別子ブロードキャスト中に全く無線リンクの確立がなかった場合、基地局２０Ａ配下に在圏する移動局３０が存在しないと判断し、セービング機能処理部２８０は基地局２０Ａの下り送信電力の停波、低下などをＲＦ部２１に指示し、電力セービングに対応しているハードウェアに対してはセービングの指示し、基地局消費電力の低減を図る。
【００１５】
図８は、実施の形態１で説明した基地局制御装置５０の機能ブロックに加えて、用途に応じてゾーン識別子を事前設定可能な領域を追加可能とする。本実施の形態では、セービング用のゾーン識別子格納領域５８０、基地局ゾーン識別子５９０を追加している。セービング用ゾーン識別子格納領域５８０には基地局２０Ａのセービング情報格納領域２７０に格納されているセービング用ゾーン識別子と同じゾーン識別子が格納されている。基地局ゾーン識別子格納領域５９０には、各基地局が通常時にブロードキャストしているゾーン識別子が格納されている。位置登録処理５２０Ａは、移動局３０からの位置登録要求に含まれるゾーン識別子がセービング用ゾーン識別子格納領域５８０に含まれるゾーン識別子とマッチした場合、位置登録要求を破棄し位置登録情報の更新を行わない。位置特定制御装置要求処理部５３０Ａは、位置特定制御装置６０Ａから通知されたセービング用ゾーン識別子を、セービング用ゾーン識別子格納領域５８０へ格納する。
図９は、実施の形態１で説明した位置特定制御装置６０の機能ブロックに加えて、セービング機能要求部６６０を追加している。セービング機能要求部６６０は、位置情報格納領域６４０の情報を使用して、各基地局情報がセービング用ゾーン識別子を送信するタイミングをスケジューリングし、各基地局にスケジューリング結果を通知する機能を有する。このスケジューリングとしては、例えば、隣接する基地局が同時又は連続してセービング用ゾーン識別子を送信しないようにすること等がある。
以上の構成により、基地局２０Ａは自律的に自局配下に在圏している移動局の有無を判定することが可能となり、本処理によって移動局から位置登録要求があったとしても、基地局制御装置５０Ａは通知されたゾーン識別子から、発生要因を特定できるためセービング用ゾーン識別子を呼情報格納領域へ格納することをガードすることができる。
図１０は、本実施の形態の移動体通信システムにおける第２実施の形態を説明するための通信シーケンス例を示す。次に、本実施の形態を図１０にて説明する。
位置特定制御装置６０Ａは、セービング機能実施の指示を監視者から受けると、セービング機能要求部６６０は、位置情報格納領域６４０を参照して、各基地局２０Ａがセービング用ゾーン識別子をブロードキャストする開始時間、期間、周期等のスケジューリングを実施する。（ＳＱ３０）。位置特定制御装置６０Ａは、セービングゾーン識別子設定要求にてセービング用ゾーン識別子と各基地局識別子を基地局制御装置５０Ａへ通知し（ＳＱ３１）、セービングゾーン識別子設定要求を受信した位置特定制御装置要求処理部５３０Ａはセービング用ゾーン識別子をセービング用ゾーン識別子格納領域５８０へ格納し、各基地局識別子を基地局ゾーン識別子格納領域５９０ヘ格納する（ＳＱ３３）。位置特定制御装置６０Ａは、ステップＳＱ３０にて各基地局２０Ａにスケジューリングした結果（セービング用ゾーン識別子、セービング用ゾーン識別子ブロードキャストの開始時間、期間、周期）をセービング設定要求にて各基地局２０Ａに通知し（ＳＱ３２）、セービング設定要求を受信した基地局２０Ａは、セービング用ゾーン識別子とセービング時間情報（例えば、セービング用ゾーン識別子ブロードキャストの開始時間、期間、周期情報等）をセービング情報格納領域２７０へ格納する（ＳＱ３４）。基地局２０Ａでは、セービング機能処理部２８０は、セービング情報格納領域２７０を参照し、位置特定制御装置６０Ａから指示されたセービング用ゾーン識別子ブロードキャストの開始時間になった場合、セービング用ゾーン識別子ブロードキャストの指示を報知情報送信処理部２２０へ指示する（ＳＱ３４）。セービング機能処理部２８０から指示を受けると、報知情報送信処理部２２０はセービング用ゾーン識別子のブロードキャストを開始する（ＳＱ３５）。
移動局３０は、基地局２０Ａからブロードキャストされているゾーン識別子（セービング用ゾーン識別子）を受信し（ＳＱ３６）、受信したゾーン識別子（セービング用ゾーン識別子）と位置登録情報格納領域３７０に含まれている前回に受信していたゾーン識別子の比較を行う。ゾーン識別子が変化していた場合、移動局３０は基地局制御装置５０Ａに対して位置登録処理を開始する（ＳＱ３７）。移動局３０は基地局３０Ａに位置登録要求を通知し、基地局３０Ａは、移動局３０からの位置登録要求を基地局制御装置５０Ａへ通知する（ＳＱ３８）。ここで、位置登録要求は、移動局識別子とゾーン識別子を含む、又は、移動局識別子とゾーン識別子と基地局識別子を含むようにしてもよい。基地局制御装置５０Ａは、移動局３０からの位置登録要求を位置登録処理部５２０Ａで処理し、位置登録要求された情報に含まれるゾーン識別子とセービング用ゾーン識別子格納領域５８０に格納されているセービング用ゾーン識別子がマッチするかを確認し、マッチした場合にはセービング機能によって誘発された位置登録要求と判断し、位置登録要求を無視する、または、位置登録要求を通知してきた基地局が通常ブロードキャストしているゾーン識別子を基地局ゾーン識別子格納領域５９０から参照し、参照したゾーン識別子を用いて位置登録処理を実施する（ＳＱ３９）。セービング機能処理部２８０は、セービング情報格納領域２７０を参照し、位置特定制御装置６０Ａから指示されたセービング用ゾーン識別子ブロードキャストの期間を満了した場合、ゾーン識別子（通常時）２４０に格納されているゾーン識別子知の指示を報知情報送信処理部２２０へ指示し、セービング用ゾーン識別子ブロードキャストを停止する（ＳＱ４０）。以降、セービング機能処理部２８０は、セービング情報格納領域２７０を参照し、位置特定制御装置６０Ａから指示されたセービング用ゾーン識別子ブロードキャストの周期に従い、ＳＱ３４からＳＱ４０を繰り返す。
【符号の説明】
【００１６】
２０  基地局、２０Ａ  用途に応じたゾーン識別子を設定可能な基地局、３０  移動局、４０  移動体通信ネットワーク、５０  基地局制御装置、５０Ａ  用途に応じたゾーン識別子を設定可能な基地局制御装置、６０  位置特定制御装置、６０Ａ  用途に応じたゾーン識別子を設定可能な位置特定制御装置、７０  位置特定対象の基地局のサービスエリア
２００  基地局アンテナ、２１  基地局ＲＦ部、２２  基地局信号変換部、２３  基地局制御部、２１０  基地局通信処理部、２２０  報知情報送信処理部、２３０  ゾーン情報変更通知処理部、２４  基地局ＮＷＩＦ部、２５  基地局記憶装置部、２４０  ゾーン識別子（通常時）、２５０  ゾーン識別子（位置特定処理時）、２６０  基地局識別子格納領域、２７０  セービング機能用ゾーン識別子、２８０  セービング機能処理部
３００  移動局アンテナ、３１  移動局ＲＦ部、３２  移動局信号変換部、３３  移動局制御部、３１０  移動局通信処理部、３２０  報知情報比較処理部、３３０  位置登録処理部、３４  周辺装置、３６１  入力部、３６２  表示部、３６３  スピーカ、
３５  移動局記憶装置、３７０  位置登録情報格納領域、３７１  移動局識別子格納領域
５１  基地局制御装置制御部、５１０  基地局制御装置通信処理部、５２０  位置登録処理部、５３０  位置登録通知要求処理部、５４０  位置情報通知処理部、５２  基地局制御装置ＮＷＩＦ部、５３  基地局制御装置記憶装置、５５０  呼情報格納領域、５６０  位置特定対象基地局識別子格納領域、５７０  位置特定対象ゾーン識別子、５８０  セービング用ゾーン識別子格納領域、５９０  基地局ゾーン識別子格納領域
６１  位置特定制御装置制御部、６１０  位置情報受信部、６２０  ゾーン情報変更通知部、６３０  位置情報通知要求部、６２  位置特定制御装置ＮＷＩＦ部、６３  位置特定制御装置記憶装置、６４０  位置情報格納領域、６５０  位置変換情報格納領域、６６０  セービング機能要求部
【図１】
0005312422.tif 000002
【図２】
0005312422.tif 000003
【図３】
0005312422.tif 000004
【図４】
0005312422.tif 000005
【図５】
0005312422.tif 000006
【図６】
0005312422.tif 000007
【図７】
0005312422.tif 000008
【図８】
0005312422.tif 000009
【図９】
0005312422.tif 000010
【図１０】
0005312422.tif 000011